(57)【特許請求の範囲】
【請求項１】
レンズアセンブリをレンズの光軸方向に移動可能に支持するアクチュエータ本体と、撮像素子を搭載するセンサ基板と、前記アクチュエータ本体と前記センサ基板との間に配置されたベース部材と、を備えたカメラモジュールにおいて、
前記アクチュエータ本体の一部である第１のカバーであって、第１の外筒部と、該第１の外筒部の上端に設けられたリング状端部とを含む、前記第１のカバーと、
前記アクチュエータ本体、前記ベース部材、および前記センサ基板の上面全体を覆う第２のカバーであって、下方が開口し、かつ四側面が隙間なく閉じられた四角筒形状の第２の外筒部と、該第２の外筒部の上端に設けられ、円形状の開口部を持つ上面とを含む、前記第２のカバーと、
を備え、
前記ベース部材は、前記第１のカバーを搭載し、更に前記第２のカバーと嵌合し、
前記第２のカバーは、前記第２の外筒部の下端が前記センサ基板の上面まで延在し、前記センサ基板から発生する電磁ノイズを遮蔽するためのシールドケースであることを特徴とするカメラモジュール。
【請求項２】
前記センサ基板と前記シールドカバーとは、電気的に接続されていることを特徴とする、請求項１に記載のカメラモジュール。
【請求項３】
前記第１のカバーの内部には、磁石が配置されていることを特徴とする、請求項１又は２に記載のカメラモジュール。
【請求項４】
前記第１のカバーは、前記磁石のヨークであることを特徴とする、請求項３に記載のカメラモジュール。
【請求項５】
請求項１乃至４のいずれか１つに記載のカメラモジュールを搭載したことを特徴とするカメラ。
【発明の詳細な説明】
【技術分野】
【０００１】
本発明はカメラモジュールに関し、特に、携帯型小型カメラに用いられるオートフォーカス用カメラモジュールに関する。
【背景技術】
【０００２】
カメラ付携帯電話機には携帯型小型カメラが搭載されている。この携帯型小型カメラには、オートフォーカス用カメラモジュールが用いられる。従来から、種々のオートフォーカス用カメラモジュールが提案されている。
【０００３】
例えば、特許文献１（特開２００９−２７１４０５号公報）は、位置精度良く、組立てることが可能なレンズモジュールを開示している。この特許文献１に開示されたレンズモジュールは、レンズアセンブリをレンズの光軸方向に沿って移動可能に支持するアクチュエータ本体と、撮像素子を搭載するセンサ基板と、アクチュエータ本体とセンサ基板との間に配置されたベース部材とから構成されている。また、特許文献１は、ベース部材の外周側面にシールド膜を蒸着したものも開示している。
【０００４】
また、特許文献２（特開２００８−５２１９６号公報）は、装置本体を小型化することができるレンズ駆動装置を開示している。この特許文献２に開示されたレンズ駆動装置は、イメージセンサが実装される基板（センサ基板）と、ＩＲカットフィルタが装着されるベースと、レンズホルダが取り付けられ、このレンズホルダを介してレンズケースが取り付けられるケースと、レンズホルダに固定されるコイルと、レンズホルダの上方に配設されるマグネット及びヨーク（第１のカバー）と、ケースの上方の各部材を収容するシールドケース（第２のカバー）とを含んで構成される。
【先行技術文献】
【特許文献】
【０００５】
【特許文献１】特開２００９−２７１４０５号公報（図６）
【特許文献２】特開２００８−５２１９６号公報（図１、［００１８］）
【発明の概要】
【発明が解決しようとする課題】
【０００６】
この技術分野において周知のように、撮像素子（イメージセンサ）を搭載するセンサ基板には、当該撮像素子（イメージセンサ）を駆動するために撮像素子（イメージセンサ）にクロック信号を供給するクロック発生源が実装されている。このクロック発生源がノイズ発生源として外部へノイズを発生し、アンテナへ悪影響を及ぼしてしまう。
【０００７】
そのため、特許文献１では、ベース部材の外周側面にシールド膜を蒸着している。しかしながら、蒸着に手間がかかると共に、カメラモジュールが高価になってしまう。
【０００８】
一方、特許文献２では、シールドケース（第２のカバー）によって、ケースの上方の各部材を収容している。しかしながら、シールドケース（第２のカバー）が基板（センサ基板）から離間しているので、効果的な電磁シールドが望めない。
【０００９】
そこで、シールドケース（第２のカバー）の下端をセンサ基板まで延在することが考えられる。しかしながら、シールドケース（第２のカバー）の下端を単に延在しただけでは、シールドケース（第２のカバー）とアクチュエータ本体およびベース部材との間に隙間（クリアランス）が存在してしまう。その結果、シールドケース（第２のカバー）がガタついてしまう。また、シールドケース（第２のカバー）の回転ガタのために、シールドケース（第２のカバー）がセンサ基板に対して斜めに取り付けられてしまうという問題もある。さらに、センサ基板に対してシールドケース（第２のカバー）を精度良く位置決めできないので、シールドケース（第２のカバー）とセンサ基板上に形成された基板導通部パタンとのズレが大きくなり、接地面積を大きくとれないという問題もある。
【００１０】
本発明の課題は、第１および第２のカバーをセンサ基板上に位置決めすることができる、カメラモジュールを提供することにある。
【００１１】
本発明の他の目的は、説明が進むにつれて明らかになるだろう。
【課題を解決するための手段】
【００１２】
本発明によれば、レンズアセンブリをレンズの光軸（Ｏ）方向に移動可能に支持するアクチュエータ本体（１０）と、撮像素子を搭載するセンサ基板（４０）と、アクチュエータ本体とセンサ基板との間に配置されたベース部材（５０，５０Ａ）と、を備えたカメラモジュール（１００，１００Ａ）において、アクチュエータ本体（１０）の一部である第１のカバー（２０）であって、第１の外筒部（２０２）と、この第１の外筒部（２０２）の上端に設けられたリング状端部（２０４）とを含む、第１のカバー（２０）と、アクチュエータ本体（１０）、ベース部材（５０，５０Ａ）、およびセンサ基板（４０）の上面（４０ａ）全体を覆う第２のカバー（６０，６０Ａ）であって、下方が開口し、かつ四側面が隙間なく閉じられた四角筒形状の第２の外筒部（６２，６２Ａ）と、この第２の外筒部（６２，６２Ａ）の上端に設けられ、円形状の開口部（６４ａ）を持つ上面とを含む、第２のカバー（６０，６０Ａ）と、を備え、ベース部材（５０，５０Ａ）は、第１のカバー（２０）を搭載し、更に第２のカバー（６０，６０Ａ）と嵌合し、第２のカバー（６０，６０Ａ）は、第２の外筒部（６２，６２Ａ）の下端（６２ａ）がセンサ基板（４０）の上面（４０ａ）まで延在し、センサ基板（４０）から発生する電磁ノイズを遮蔽するためのシールドケース（６０，６０Ａ）であることを特徴とするカメラモジュール（１００，１００Ａ）が得られる。
【００１３】
上記カメラモジュール（１００，１００Ａ）において、センサ基板（４０）と第２のカバー（６０，６０Ａ）とは、電気的に接続されていることが好ましい。第１のカバー（２０）の内部には、磁石（１８）が配置されていてよい。第１のカバー（２０）は、磁石（１８）のヨークであってよい。
【００１４】
また、本発明によれば、上記カメラモジュール（１００，１００Ａ）を搭載したカメラが得られる。
【００１５】
尚、上記括弧内の参照符号は、理解を容易にするために付したものであり、一例に過ぎず、これらに限定されないのは勿論である。
【発明の効果】
【００１６】
本発明では、第１および第２のカバーをセンサ基板上に位置決めすることができる。
【図面の簡単な説明】
【００１７】
【図１】本発明の第１の実施の形態によるカメラモジュールを示す外観斜視図である。
【図２】図１に示したカメラモジュールの分解斜視図である。
【図３】図２に示したカメラモジュールにおいて、アクチュエータ本体と、ベース部材とを組み付けた状態を示す斜視図である。
【図４】図２に示したカメラモジュールにおいて、アクチュエータ本体と、ベース部材と、センサ基板とを組み付けた状態を示す斜視図である。
【図５】図２に示したカメラモジュールにおいて、センサ基板を省いた状態の横断面図である。
【図６】本発明の第２の実施の形態によるカメラモジュールの要部を示す縦断面図である。
【発明を実施するための形態】
【００１８】
以下、図面を参照して、本発明の実施の形態について説明する。
【００１９】
図１乃至図５を参照して、本発明の第１の実施の形態によるカメラモジュール１００について説明する。図１はカメラモジュール１００を示す外観斜視図であり、図２はカメラモジュール１００の分解斜視図である。図３は、図２に示したカメラモジュール１００において、アクチュエータ本体１０と、ベース部材５０とを組み付けた状態を示す斜視図である。図４は、図２に示したカメラモジュール１００において、アクチュエータ本体１０と、ベース部材５０と、センサ基板４０とを組み付けた状態を示す斜視図である。図５は、図２に示したカメラモジュール１００において、センサ基板４０を省いた状態の横断面図である。
【００２０】
ここでは、図１乃至図５に示されるように、直交座標系（Ｘ，Ｙ，Ｚ）を使用している。図１乃至図５に図示した状態では、直交座標系（Ｘ，Ｙ，Ｚ）において、Ｘ軸は前後方向（奥行方向）であり、Ｙ軸は左右方向（幅方向）であり、Ｚ軸は上下方向（高さ方向）である。そして、図１乃至図５に示す例においては、上下方向Ｚがレンズの光軸Ｏ方向である。
【００２１】
但し、実際の使用状況においては、光軸Ｏ方向、すなわち、Ｚ軸方向が前後方向となる。換言すれば、Ｚ軸の上方向が前方向となり、Ｚ軸の下方向が後方向となる。
【００２２】
図示のカメラモジュール１００は、オートフォーカス可能なカメラ付き携帯電話に備えられる。カメラモジュール１００は、レンズアセンブリ（レンズバレル）（図示せず）を光軸Ｏ方向に沿って移動可能に支持するアクチュエータ本体１０と、撮像素子（図示せず）やクロック発生源（図示せず）などの電子部品を搭載するセンサ基板４０と、上記アクチュエータ本体１０とセンサ基板４０との間に配置されたベース部材５０と、アクチュエータ本体１０、ベース部材５０、およびセンサ基板４０の上面４０ａを覆うシールドケース６０とから構成される。シールドケース６０は、センサ基板４０から発生する電磁ノイズを遮蔽するためのものである。
【００２３】
アクチュエータ本体１０は、レンズアセンブリ（レンズバレル）を光軸Ｏ方向に移動させるためのものである。アクチュエータ本体１０は、Ｚ軸方向（光軸Ｏ方向）の下側（後側）に配置されたベース部材５０上に搭載されている。このベース部材５０の下部（後部）に、センサ基板４０が配置される。このセンサ基板４０上に、上記撮像素子が搭載される。
【００２４】
撮像素子は、レンズアセンブリにより結像された被写体像を撮像して電気信号に変換する。撮像素子は、例えば、ＣＣＤ（charge coupled device）型イメージセンサ、ＣＭＯＳ（complementary metal oxide semiconductor）型イメージセンサ等により構成される。
【００２５】
アクチュエータ本体１０は、レンズアセンブリ（レンズバレル）を保持するための筒状部１４０を有する樹脂製のレンズホルダ１４と、このレンズホルダ１４に筒状部１４０の周囲に位置するように固定された駆動コイル１６と、この駆動コイル１６と対向する永久磁石１８を備えたヨーク２０と、レンズホルダ１４の筒状部１４０の光軸Ｏ方向両側に設けられた一対の板バネ２２、２４を備える。一対の板バネ２２、２４は、レンズホルダ１４を径方向に位置決めした状態で光軸Ｏ方向に変位可能に支持する。一対の板バネ２２、２４のうち、一方の板バネ２２は上側板バネと呼ばれ、他方の板バネ２４は下側板バネと呼ばれる。
【００２６】
また、前述したように、実際の使用状況においては、Ｚ軸方向（光軸Ｏ方向）の上方向が前方向、Ｚ軸方向（光軸Ｏ方向）の下方向が後方向となる。したがって、上側板バネ２２は前側スプリングとも呼ばれ、下側板バネ２４は後側スプリングとも呼ばれる。
【００２７】
ヨーク２０は略四角筒状をしている。すなわち、ヨーク２０は、略四角筒形状の外筒部２０２と、この外筒部２０２の上端（前端）に設けられた四角形のリング状端部２０４とを有する。外筒部２０２は、左右方向Ｙで対向する一対の辺の中央部分２０２−１が半径方向の外側に突出している。
【００２８】
従って、駆動コイル１６も、四角筒状のヨーク２０の形状に合わせた、略四角筒状をしている。レンズホルダ１４の筒状部１４０は、駆動コイル１６の左右方向Ｙで対応した位置で、半径方向外側へ突出する２つの接触部１４０−１を持つ。これら２つの接触部１４０−１に、駆動コイル１６の２つの平坦部１６２が接着される。すなわち、駆動コイル１６は、筒状部１４０の２つの接触部１４０−１で接着されている。
【００２９】
一方、永久磁石１８は、ヨーク２０の四隅に配置される断面三角形の４つの永久磁石片１８２と、駆動コイル１６の上記２つの平坦部１６２に対向する２つの断面矩形状永久磁石片１８４とから構成される。詳述すると、２つの断面矩形状永久磁石片１８４は、ヨーク２０の外筒部２０２の上記一対の辺の中央部分２０２−１の内壁に取り付けられている。すなわち、永久磁石１８は、ヨーク２０の四角筒形状の外筒部２０２の四隅と２側辺に配置された、合計６個の永久磁石片１８２、１８４から成る。
【００３０】
ヨーク２０の外筒部２０２の内周面に、駆動コイル１６と間隔を置いて、永久磁石１８が配置されている。
【００３１】
上側板バネ（前側スプリング）２２はレンズホルダ１４における光軸Ｏ方向上側（前側）に配置され、下側板バネ（後側スプリング）２４はレンズホルダ１４における光軸Ｏ方向下側（後側）に配置される。上側板バネ（前側スプリング）２２と下側板バネ（後側スプリング）２４とは、略同一構成をしている。
【００３２】
詳述すると、上側板バネ（前側スプリング）２２は、レンズホルダ１４に取り付けられた内周側端部２２２と、ヨーク２０に取り付けられた外周側端部２２４とを有する。内周側端部２２２と外周側端部２２４との間には、複数本の腕部が設けられている。各腕部は、内周側端部２２２と外周側端部２２４とを繋いでいる。
【００３３】
同様に、下側板バネ（後側スプリング）２４は、レンズホルダ１４に取り付けられた内周側端部２４２と、ヨーク２０に取り付けられた外周側端部２４４とを有する。内周側端部２４２と外周側端部２４４とに間には、複数本の腕部が設けられている。各腕部は、内周側端部２４２と外周側端部２４４とを繋いでいる。
【００３４】
尚、内周側端部は内輪とも呼ばれ、外周側端部は外輪とも呼ばれる。
【００３５】
上側板バネ（前側スプリング）２２の内周側端部２２２は、レンズホルダ１４とストッパ２６に挟持されて固定されている。換言すれば、ストッパ２６は、上側板バネ（前側スプリング）２２の内周側端部２２２を、レンズホルダ１４との間で挟持するように、レンズホルダ１４と嵌合する。一方、上側板バネ（前側スプリング）２２の外周側端部２２４は、ヨーク２０とカバー２８との間に挟持され固定されている。尚、上側板バネ（前側スプリング）２２の外周側端部２２４とカバー２８との間には、リング状プレート３４が配置されている。
【００３６】
ストッパ２６には、次に述べるような機能がある。すなわち、ストッパ２６は、上側板バネ（前側スプリング）２２の内周側端部２２２をレンズホルダ１４にバラツキなく高精度に密着させる機能を持つ。これにより、ＶＣＭ（ボイス・コイル・モータ）特性のバラツキを改善できる。また、ストッパ２６は、上側板バネ（前側スプリング）２２の接着強度を向上させる機能をもつ。これにより、カメラモジュール１００の耐衝撃性を向上させている。さらに、ストッパ２６は、カメラモジュール１００の落下衝撃の際の上側板バネ（前側スプリング）２２の変形を防止する機能を持つ。これによっても、カメラモジュール１００の耐衝撃性を向上させている。また、ストッパ２６は、カメラモジュール１００の機械的ストロークを決める機能を持つ。
【００３７】
一方、下側板バネ（後側スプリング）２４の外周側端部２４４は、スペーサ３０を介してヨーク２０に固定されている。換言すれば、スペーサ３０と下側板バネ（後側スプリング）２４の外周側端部２４４とは、ヨーク２０とベース部材５０との間に挟持されて固定されている。下側板バネ（後側スプリング）２４の内周側端部２４２は、レンズホルダ１４の下端（後端）側に固定されている。
【００３８】
レンズホルダ１４の筒状部１４０の内周壁には雌ネジ１４２が切られている。一方、図示しないが、レンズアセンブリ（レンズバレル）の外周壁には、上記雌ネジ１４２に螺合される雄ネジが切られている。従って、レンズアセンブリ（レンズバレル）をレンズホルダ１４に装着するには、レンズアセンブリ（レンズバレル）をレンズホルダ１４の筒状部１４０に対して光軸Ｏ周りに回転して光軸Ｏ方向に沿って螺合することにより、レンズアセンブリ（レンズバレル）をレンズホルダ１４内に収容し、接着剤などによって互いに接合する。
【００３９】
下側板バネ（後側スプリング）２４とベース１２との間には、電力供給部材３２が配置されている。この電力供給部材３２は、駆動コイル１６に電力を供給するためのものである。
【００４０】
電力供給部材３２は、下側板バネ２４とベース部材５０との間に挟まれて、駆動コイル１６の一対の引出し線（図示せず）と電気的に接続されるフレキシブルプリント基板３２２と、このフレキシブルプリント基板３２２から上記センサ基板４０まで下方に延出するばね性を持つ一対の板金端子３２４とを有する。
【００４１】
電力供給部材３２を介して駆動コイル１６に通電することで、永久磁石１８の磁界と駆動コイル１６に流れる電流による磁界との相互作用によって、レンズホルダ１４（レンズアセンブリ）を光軸Ｏ方向に位置調整することが可能である。
【００４２】
センサ基板４０は、上記電力供給部材３２の一対の板金端子３２４が挿入される一対の凹部４２を持つ。センサ基板４０の上面（主面）４０ａには、一対の凹部４２が形成されている一辺を除く３辺近傍に、辺に沿って延在する３つの矩形凹部４４が形成されている。そして、これら３つの矩形凹部４４の内側辺に沿って、基板導通部パタン（図示せず）が形成されている。
【００４３】
シールドケース６０は、例えば、ステンレス等の金属材料で形成される。シールドケース６０は、下方が開口した箱型形状をしている。すなわち、シールドケース６０は、四角筒形状の外筒部６２と、この外筒部６２の上端に設けられた上面６４とを有する。この上面６４には、中央部に円形状の開口部６４ａが形成されている。
【００４４】
図１から明らかなように、シールドケース６０の外筒部６２の外形寸法（縦横寸法）と、センサ基板４０の縦横寸法とは、実質的に等しい。シールドケース６０の下端６２ａは、センサ基板４０の上面（主面）４０ａまで延在している。
【００４５】
シールドケース６０を、アクチュエータ本体１０、ベース部材５０、およびセンサ基板４０の上面４０ａを覆うように被せた後、シールドケース６０とセンサ基板４０の上記基板導通部パタンとは、３つの矩形凹部４４で半田又は導電性接着剤を使用して電気的に接続される。その結果、上記基板導通部パタンとシールドケース６０とは、接地電位に保たれる。
【００４６】
次に、図３乃至図５を参照して、ベース部材５０について詳細に説明する。ベース部材５０は、図示しないＩＲカットフィルタを搭載している。ベース部材５０は、射出成形により製造される。ベース部材５０の材料は、例えば、液晶ポリマー（ＬＣＰ）等のエンジニアリングプラスチックから成る。周知のように、ＬＣＰは、比較的弾性のない樹脂である。
【００４７】
ベース部材５０は、リング状のベース部５２と、ヨーク２０の外筒部２０２の上記一対の辺の中央部分２０２−１を挟むように、左右方向Ｙで対向して四隅でベース部５２から上下方向Ｚの上方へ突出する４つの突出部５４とを有する。
【００４８】
４つの突出部５４は、ベース部材５０の四隅で形成された突起部５４２を持つ。各突起部５４２は、上下方向Ｚに延在する（光軸Ｏ方向と平行に延在する）略円柱状をしている。図示の例では、各突起部５４２の直径は０．１ｍｍ程度である。また、各突起部５４２の断面は、半円以上突出した形状をしている。各突起部５４２は、その上部に略円錐状の先端部５４２ａを持つ。また、各突起部５４２の下端４２ｂは、ベース部材５０の基板当接面より上部に位置している。換言すれば、各突起部５４２の下端５４２ｂは、センサ基板４０の上面４０ａより離間している。
【００４９】
光軸Ｏから各突起部５４２の最遠端までの半径方向の距離は、光軸Ｏからシールドケース６０の角部６２ｂの内壁までの半径方向の距離よりも、僅かに長い。一方、各突起部５４２が無い場合における、光軸Ｏから突出部５４の最遠端までの半径方向の距離は、光軸Ｏからシールドケース６０の角部６２ｂの内壁までの半径方向の距離よりも、僅かに短い。
【００５０】
このように、本実施の形態にかかるカメラモジュール１００では、ベース部材５０の四隅に突起部５４２を設けたので、シールドケース６０を精度良く位置決めすることができる。詳述すると、シールドケース６０を、アクチュエータ本体１０、ベース部材５０、およびセンサ基板４０の上面４０ａを覆うように被せると、シールドケース５０の四隅にある角部６２ｂが、略円錐状の先端部５４２ａに誘われつつ、ベース部材５０の４つの突起部５４２を押し潰すので、シールドケース６０とベース部材５０とは軽圧入状態で嵌合される（図５参照）。その結果、シールドケース６０がガタつくのを防止できる。また、シールドケース６０の回転ガタもなくなるので、シールドケース６０がセンサ基板４０に対して斜めに取り付けられることもない。
【００５１】
また、シールドケース６０を被せる際に、仮にベース部材５０の４つの突起部５４２のいずれかが削れたとしても、各突起部５４２の下面５４２ｂがセンサ基板４０の上面４０ａより離間しているので、４つの突起部５４２の下部に削れカスが落ちることになる。その結果、削れカスは、シールドケース６０とセンサ基板４０との間の挟まれることもない。
【００５２】
センサ基板４０に対してシールドケース６０を精度良く位置決めできるので、シールドケース６０とセンサ基板４０上に形成された基板導通部パタンとの間の位置ズレを小さくできる。その結果、接地面積を大きくとることができる。
【００５３】
尚、上記第１の実施の形態では、ベース部材５０の四隅に４つの突起部５４２を形成しているが、例えば、ベース部材５０の光軸Ｏを間に挟んで対角線方向で対向する２隅に、２つの突起部５４２を形成してもよい。
【００５４】
図６を参照して、本発明の第２の実施の形態によるカメラモジュール１００Ａについて説明する。図６はカメラモジュール１００Ａの要部を示す縦断面図である。
【００５５】
図示のカメラモジュール１００Ａは、ベース部材およびシールドケースの構造が図１乃至図５に示したカメラモジュール１００のそれらと相違している点を除いて、図１乃至図５に示したカメラモジュール１００と同様の構成を有する。従って、ベース部材およびシールドケースに、それぞれ、５０Ａおよび６０Ａの参照符号を付してある。カメラモジュール１００Ａの他の構成要素は、図１乃至図５に示したカメラモジュール１００のそれらと同一であるので、それらの構成要素についての図示や説明については省略する。
【００５６】
ベース部材５０Ａは、突出部の構造が、図２乃至図４に示したものと後述するように相違する点を除いて、図２乃至図４に示したベース部材５０と同様の構成を有する。従って、突出部に５４Ａの参照符号を付してある。各突出部５４Ａは、半径方向外側へ突出する係合突起（嵌込用爪）５４４を備えている点を除いて、図２乃至図４に示した突出部５４と同様の構成を有する。
【００５７】
尚、各突出部５４Ａは、突起部５４２の代わりに、係合突起（嵌込用爪）５４４を備えてもいても良い。
【００５８】
一方、シールドケース６０Ａは、外筒部の構造が、図１および図２に示したものと相違する点を除いて、図１および図２に示したシールドケース６０と同様の構成を有する。従って、外筒部に６２Ａの参照符号を付してある。外筒部６２Ａは、上記係合突起（嵌込用爪）５４４と係合（嵌合）する係合凹部（嵌合凹部）６２２を有する点を除いて、図１および図２に示した外筒部６２と同様の構成を有する。
【００５９】
このような構成のカメラモジュール１００Ａによれば、シールドケース６０Ａをアクチュエータ本体１０（図３および図４参照）、ベース部材６０Ａ、およびセンサ基板４０（図１、図２、および図４参照）の上面４０ａを覆うように被せると、係合突起（嵌込用爪）５４４が矢印Ａに示されるように、一旦、撓んだ後に、元の状態（位置）に復帰する。その結果、係合突起（嵌込用爪）５４４が係合凹部（嵌合凹部）６２２と係合（嵌合）する。そのため、シールドケース６０Ａがカメラモジュール１００Ａから外れるのを防止することができる。
【００６０】
以上、本発明についてその好ましい実施の形態によって説明してきたが、本発明の精神を逸脱しない範囲内で、種々の変形が当業者によって可能であるのは明らかである。
【符号の説明】
【００６１】
１００、１００Ａ    カメラモジュール
１０    アクチュエータ本体
１４    レンズホルダ
１４０    筒状部
１４０−１    接触部
１４２    雌ネジ
１６    駆動コイル
１６２    平坦部
１８    永久磁石
１８２    断面三角形の永久磁石片
１８４    断面矩形状永久磁石片
２０    ヨーク
２０２    外筒部
２０２−１    中央部分
２２    上側板バネ（前側スプリング）
２２２    内周側端部（内輪）
２２４    外周側端部（外輪）
２４    下側板バネ（後側スプリング）
２４２    内周側端部（内輪）
２４４    外周側端部（外輪）
２６    ストッパ
２８    カバー
３０    スペーサ
３２    電力供給部材
３２２    フレキシブルプリント基板
３２４    板金端子
３４    リング状プレート
４０    センサ基板
４０ａ    上面（主面）
４２    凹部
４４    矩形凹部
５０、５０Ａ    ベース部材
５２    ベース部
５４、５４Ａ    突出部
５４２    突起部
５４２ａ    先端部
５４２ｂ    下面
５４４    係合突起（嵌込用爪）
６０、６０Ａ    シールドケース
６２、６２Ａ    外筒部
６２ａ    下端
６２ｂ    角部
６２２    係合凹部（嵌合凹部）
６４    上面
Ｏ    光軸
【図１】
0005780405.tif 000002
【図２】
0005780405.tif 000003
【図３】
0005780405.tif 000004
【図４】
0005780405.tif 000005
【図５】
0005780405.tif 000006
【図６】
0005780405.tif 000007